(57)【要約】【課題】主としてマイクロ波、ミリ波を用いたマルチバンド無線通信装置に用いるマルチバンドアンテナにおいて、量産性に適した小型なアンテナを実現することを目的とする【解決手段】表面を金属電極で覆った誘電体チップ１０１に入出力ギャップ１０２により入出力ポート１０４を形成し、第１のヘリカル状電極部１０６ａ、１０６ｂを第２の周波数ｆ２で１／４波長とし、第２のヘリカル状電極部１０８ａ、１０８ｂが第１の周波数帯ｆ１の信号を通し第２の周波数帯ｆ２の信号を阻止し、アンテナ電極１０３の周波数帯ｆ１での総電気長が１／２波長とする第１、第２および第３のスリット１０５ａ、１０５ｂ、１０７ａ、１０７ｂ、１０９ａ、１０９ｂを形成することで、第１および第２の周波数帯ｆ１、ｆ２において平衡給電半波長ダイポールアンテナ相当の動作により、良好なアンテナ特性が得られる。【選択図】図１
2005229500.tif 000002
【特許請求の範囲】
【請求項１】
表面を金属電極で覆った誘電体チップの中央部において前記金属電極を２分割するギャップを形成し、前記ギャップで分割された金属電極の各々にらせん状のヘリカル状電極部を形成したことを特徴とするマルチバンドアンテナ。
【請求項２】
ギャップにより分割された金属電極の各々により１対のアンテナ電極を構成し、前記ギャップにより前記一対のアンテナ電極の入出力ポートを構成したことを特徴とする請求項１に記載のマルチバンドアンテナ。
【請求項３】
誘電体チップが四角柱状であることを特徴とする請求項１に記載のマルチバンドアンテナ。
【請求項４】
誘電体チップが円柱状であることを特徴とする請求項１に記載のマルチバンドアンテナ。
【請求項５】
ギャップで分割された金属電極の各々に複数のスリットを形成してらせん状のヘリカル状電極部を形成したことを特徴とする請求項１に記載のマルチバンドアンテナ。
【請求項６】
ギャップで分割された金属電極の各々に第１、第２及び第３のスリットを備え、
前記第１のスリットによる第１のヘリカル状電極部が第２の周波数帯ｆ２で１／４波長の電気長を有し、前記第２のスリットによる第２のヘリカル状電極部が第２の周波数帯ｆ１の信号を通過させ、第２の周波数帯ｆ２の信号を阻止する特性を有し、前記第３のスリットによる第３のヘリカル状電極部が第１の周波数帯ｆ１での前記分割された金属電極の総電気長が１／２波長となる電気長を有することを特徴とする請求項１に記載のマルチバンドアンテナ。
【請求項７】
ギャップで分割された金属電極の一方の金属電極に互いに非対称な第１、第２及び第３のスリットを、他方の金属電極に互いに非対称な第４、第５及び第６のスリットを備え、
前記第１のスリットによる第１のヘリカル状電極部が第２の周波数帯ｆ２で１／４波長の電気長を有し、第４のスリットによる第４のヘリカル状電極部が第３の周波数帯ｆ３で１／４波長の電気長を有し、第２のスリットによる第２のヘリカル状電極部が第１の周波数帯ｆ１の信号を通過させ、第２の周波数帯ｆ２の信号を阻止する特性を有し、第５のスリットによる第５のヘリカル状電極部が第１の周波数帯ｆ１の信号を通過させ、第３の周波数帯ｆ３の信号を阻止する特性を有し、第３および第６のスリットによる第３および第６のヘリカル状電極部が第１の周波数帯ｆ１での前記分割された金属電極の総電気長が１／２波長となる電気長を有することを特徴とする請求項１に記載のマルチバンドアンテナ。
【請求項８】
スリットが位置により異なるピッチのらせん状のスリットであることを特徴とする請求項５に記載のマルチバンドアンテナ。
【請求項９】
ヘリカル状電極部の一部を分離スリットで分離して寄生ヘリカル状電極を形成することを特徴とする請求項１に記載のマルチバンドアンテナ。
【請求項１０】
請求項１から９に記載のマルチバンドアンテナと、前記マルチバンドアンテナの入出力ポートに接続された複数の周波数帯を使用するマルチバンド無線部を備えたことを特徴とするマルチバンド無線機。
【発明の詳細な説明】
【技術分野】
【０００１】
本発明は、主としてマイクロ波、ミリ波を用いたマルチバンド無線通信装置に用いるアンテナに関するものである。
【背景技術】
【０００２】
従来のマルチバンドアンテナとしては、例えば特許文献１記載の構成が知られている。図５（ａ）、（ｂ）は、特許文献１に記載された従来のマルチバンドアンテナを示すものである。図５（ａ）、（ｂ）において、マルチバンドアンテナ１はワイヤをらせん状に巻いたヘリカルアンテナであり、先端側の所定のターン数は等ピッチで巻回され、これに続いて、基端側ほどターン毎にそのピッチが大きくなるように巻回して構成されている。そして、全体の実効長が、第１周波数帯ｆ１に対して、１／４波長で共振するように設定される。また、全体の実効長が第２周波数帯ｆ２に対しても、３／４波長で共振するように設定される。
【特許文献１】特開２０００−２２３９２９号公報（第２−３頁、図１）
【発明の開示】
【発明が解決しようとする課題】
【０００３】
しかしながら、前記従来の構成では、ワイヤをヘリカル状に巻回し、更にアンテナを精度よく支持する樹脂等によるベースが別途必要であり製造工程が複雑になるという課題を有していた。
【０００４】
更に、前記従来の構成では、ワイヤにマルチバンド動作の特性向上のために電磁気的に結合した寄生ワイヤ素子を用いる場合、ワイヤ間距離を精度よく配置することが困難という課題を有していた。
【０００５】
本発明は、前記従来の課題を解決するもので、マルチバンドに対応し、各バンドでの安定したアンテナ特性を有し、量産性に優れ、更に寄生アンテナ素子を精度よく内蔵可能なマルチバンドアンテナを提供することを目的とする。
【課題を解決するための手段】
【０００６】
本発明の第１の態様に係るマルチバンドアンテナは、表面を金属電極で覆った誘電体チップの中央部に金属電極を２分割するギャップを形成し、このギャップで分割された金属電極の各々にらせん状のヘリカル状電極部を形成したものである。
【０００７】
本構成によって、らせん状のヘリカル状電極部により電極間距離を精度よく実現可能となる。したがって、マルチバンドに対応し、各バンドで安定したアンテナ特性を有し、量産性に優れ、更に寄生アンテナ素子を精度よく内蔵可能なマルチバンドアンテナを提供することができる。
【０００８】
本発明の第２の態様に係るマルチバンドアンテナは、第１の態様に係るマルチバンドアンテナにおいて、ギャップにより分割された金属電極の各々により１対のアンテナ電極を構成し、ギャップにより一対のアンテナ電極の入出力ポートを構成したものである。本構成によって、マルチバンドアンテナの入出力ポートが共通化され、マルチバンドアンテナを小型に構成することができる。
【０００９】
本発明の第３の態様に係るマルチバンドアンテナは、第１の態様に係るマルチバンドアンテナにおいて、誘電体チップが四角柱状であるものである。本構成によって、部品実装
時の安定性に優れたマルチバンドアンテナを提供することができる。
【００１０】
本発明の第４の態様に係るマルチバンドアンテナは、第１の態様に係るマルチバンドアンテナにおいて、誘電体チップが円柱状であるものである。本構成によって、加工性の優れたマルチバンドアンテナを提供することができる。
【００１１】
本発明の第５の態様に係るマルチバンドアンテナは、第１の態様に係るマルチバンドアンテナにおいて、ギャップで分割された金属電極の各々に複数のスリットを形成してらせん状のヘリカル状電極部を形成したものである。本構成によって、らせん状のヘリカル状電極部の電極間距離を精度よく形成する事ができる。
【００１２】
本発明の第６の態様に係るマルチバンドアンテナは、第１の態様に係るマルチバンドアンテナにおいて、ギャップで分割された金属電極の各々に第１、第２及び第３のスリットを備え、第１のスリットによる第１のヘリカル状電極部が第２の周波数帯ｆ２で１／４波長の電気長を有し、第２のスリットによる第２のヘリカル状電極部が第２の周波数帯ｆ１の信号を通過させ、第２の周波数帯ｆ２の信号を阻止する特性を有し、第３のスリットによる第３のヘリカル状電極部が第１の周波数帯ｆ１での前記分割された金属電極の総電気長が１／２波長となる電気長を有するものである。
【００１３】
本構成によって、第１の周波数帯ｆ１においては平衡給電された１／２波長ダイポールアンテナ相当の動作をし、第２の周波数帯ｆ２においても第１のヘリカル状電極部が中心に動作することで、平衡給電された１／２波長ダイポールアンテナ相当の動作をし、誘電体チップの軸方向の窪んだ８の字状の良好な指向特性を有する。
【００１４】
本発明の第７の態様に係るマルチバンドアンテナは、第１の態様に係るマルチバンドアンテナにおいて、ギャップで分割された金属電極の各々に互いに非対称な３つのスリットを備え、第１のスリットによる第１のヘリカル状電極部が第２の周波数帯ｆ２で１／４波長の電気長を有し、第４のスリットによる第４のヘリカル状電極部が第３の周波数帯ｆ３で１／４波長の電気長を有し、第２のスリットによる第２のヘリカル状電極部が第１の周波数帯ｆ１の信号を通過させ、第２の周波数帯ｆ２の信号を阻止する特性を有し、第５のスリットによる第５のヘリカル状電極部が第１の周波数帯ｆ１の信号を通過させ、第３の周波数帯ｆ３の信号を阻止する特性を有し、第３および第６のスリットによる第３および第６のヘリカル状電極部が第１の周波数帯ｆ１での前記分割された金属電極の総電気長が１／２波長となる電気長を有するものである。
【００１５】
本構成によって、第１の周波数帯ｆ１においては、平衡給電された１／２波長ダイポールアンテナ相当の動作をし、誘電体チップの軸方向の窪んだ８の字状の指向特性を有する。また、第２の周波数帯ｆ２においては、非対称に平衡給電された１／２波長ダイポールアンテナ相当の動作をし、誘電体の軸方向の窪んだ８の字状の良好な指向特性を有する。また、第３の周波数帯ｆ３においても非対称に平衡給電された１／２波長ダイポールアンテナ相当の動作をし、誘電体チップ１０１の軸方向の窪んだ８の字状の指向特性パターンを有する。
【００１６】
本発明の第８の態様に係るマルチバンドアンテナは、第１の態様に係るマルチバンドアンテナにおいて、スリットが位置により異なるピッチのらせん状のスリットであるものである。
【００１７】
本構成によって、ピッチを変えることで周波数バンドによって主として動作するヘリカル状電極の部位を変え、各々の周波数バンドで良好な特性が得られるマルチバンドアンテナを提供することができる。  本発明の第９の態様に係るマルチバンドアンテナは、第１
の態様に係るマルチバンドアンテナにおいて、ヘリカル状電極部の一部を分離スリットで分離して寄生ヘリカル状電極を形成するものである。
【００１８】
本構成によって、寄生ヘリカル状電極により周波数バンドによって主として動作するヘリカル状電極の部位を変え、各々の周波数バンドで良好な特性が得られるマルチバンドアンテナを提供することができる。
【００１９】
本発明の第１０の態様に係るマルチバンド無線機は、第１から第９の態様に係るマルチバンドアンテナの入出力ポートに複数の周波数帯を使用するマルチバンド無線部を接続したものである。
【００２０】
本構成によって、異なる周波数バンドを用いる複数の無線システムに対応可能なマルチバンド無線機の実現が可能となる。
【発明の効果】
【００２１】
本発明のマルチバンドアンテナによれば、複数の周波数バンドに対応し、量産性に優れたマルチバンドアンテナの実現が可能となる。
【発明を実施するための最良の形態】
【００２２】
以下、本発明の実施の形態について、図面を参照しながら説明する。
【００２３】
（実施の形態１）
図１は、本発明の実施の形態１におけるデュアルバンドアンテナの斜視図である。
【００２４】
図１において、１００は周波数帯ｆ１，ｆ２（ｆ１＜ｆ２）に対応したデュアルバンドアンテナ全体を示す。１０１は表面を金属電極で覆った誘電体チップ、１０２は誘電体チップ中央部にあり誘電体チップ１０１の金属電極を２分割して左右一対のアンテナ電極１０３ａ、１０３ｂを形成することでデュアルバンドアンテナ１００の入出力ポート１０４を構成する入出力ギャップ、１０５ａ、１０５ｂは第１のスリット、１０６ａ、１０６ｂは第１のスリット１０５ａ、１０５ｂにより形成された第１のヘリカル状電極部、１０７ａ、１０７ｂは第２のスリット、１０８ａ、１０８ｂは第２のスリット１０７ａ、１０７ｂで形成される第２のヘリカル状電極部、１０９ａ、１０９ｂは第３のスリット、１１０ａ、１１０ｂは第３のスリット１０９ａ、１０９ｂで形成される第３のヘリカル状電極部である。図１では、第２のスリット１０７ａ、１０７ｂを、第１のスリット１０５ａ、１０５ｂおよび第３のスリット１０９ａ、１０９ｂよりも密巻きに構成した例を示している。
【００２５】
入出力ポート１０４の一端にはデュアルバンドアンテナ１００へ信号を入出力する入出力線路１１１が接続され、残りの一端にはデュアルバンドアンテナ１００をグランドへ接続するグランドパッド１１２が接続される。ヘリカル状電極部１０６ａ、１０６ｂ、１０８ａ、１０８ｂ、１１０ａ、１１０ｂの特性は、スリット１０５ａ、１０５ｂ、１０７ａ、１０７ｂ、１０９ａ、１０９ｂのスリット幅、ピッチ、ターン数により変化する。第１のスリット１０５ａ、１０５ｂは、第２の周波数帯ｆ２で第１のヘリカル状電極部１０６ａ、１０６ｂの電気長が１／４波長となる所定のスリット幅、ピッチ、ターン数を有する。第２のスリット１０７ａ、１０７ｂは、第２のヘリカル状電極部１０８ａ、１０８ｂが第１の周波数帯ｆ１の信号を通過し、第２の周波数帯ｆ２の信号を阻止する所定のスリット幅、ピッチ、ターン数を有する。第３のスリット１０９ａ、１０９ｂは、第１の周波数帯ｆ１でアンテナ電極１０３ａ、１０３ｂの総電気長が１／２波長となる所定のスリット幅、ピッチ、ターン数を有する。つぎに、以上の構成によるデュアルバンドアンテナの動作を以下に説明する。
【００２６】
第１の周波数帯ｆ１においては、アンテナ電極１０３ａ、１０３ｂの総電気長が１／２波長であるため、平衡給電された１／２波長ダイポールアンテナ相当の動作をし、誘電体チップ１０１の軸方向に窪んだ８の字状の指向特性を有する。
【００２７】
第２の周波数帯ｆ２においては、第２のヘリカル状電極部１０８ａ、１０８ｂにより信号が遮断されるため、総電気長が１／２波長の第１のヘリカル状電極部１０６ａ、１０６ｂが中心に動作することで、第１の周波数帯ｆ１と同様に、平衡給電された１／２波長ダイポールアンテナ相当の動作をし、誘電体チップ１０１の軸方向の窪んだ８の字状の良好な指向特性を有する。
【００２８】
入出力ギャップ、スリットの加工は、例えば、表面を金属電極で覆った誘電体チップ１０１を軸方向を中心に回転させ、レーザ加工により形成可能であり、量産性に優れる。
【００２９】
誘電体チップ１０１の形状は、部品実装時の安定性に優れることから、本実施の形態で用いた四角柱状が望ましいが、四角柱に限るものではなく、例えば円柱状など他の断面の棒状形状でも良い。この場合はレーザ加工時の誘電体チップ１０１の回転が誘電体チップ１０１の周囲において均一になるのでレーザ加工が容易になる。
【００３０】
また、左右のヘリカル状電極部で発生する磁束が相殺されるため、スリットのらせんの巻き方向は左右で反転していることが望ましいが、影響は軽微であるため同方向に巻くらせん形状でもよい。
【００３１】
なお、第２のヘリカル状電極部１０８ａ、１０８ｂの特性上、第２の周波数ｆ２は第１の周波数ｆ１の約２倍に近い周波数であることが望ましい。
【００３２】
また、第２のスリット１０７ａ、１０７ｂとして、第１のスリット１０５ａ、１０５ｂおよび第３のスリット１０９ａ、１０９ｂよりも密巻きの例を示したが、所定の周波数特性を実現するスリット幅、ピッチ、ターン数であれば良く、図１の形状に限定しない。
【００３３】
（実施の形態２）
図２は、本発明の実施の形態２におけるトリプルバンドアンテナの斜視図である。
【００３４】
図２において、１２０は周波数帯ｆ１、ｆ２、ｆ３（ｆ１＜ｆ２、ｆ３）に対応したトリプルバンドアンテナの全体を示す。１２１は第１のスリット、１２２は第１のスリット１２１で形成される第１のヘリカル状電極部、１２３は第２のスリット、１２４は第２のスリット１２３で形成される第２のヘリカル状電極部、１２５は第３のスリット、１２６は第３のスリット１２５で形成される第３のヘリカル状電極部、１２７は第４のスリット、１２８は第４のスリット１２７で形成される第４のヘリカル状電極部、１２９は第５のスリット、１３０は第５のスリット１２９で形成される第５のヘリカル状電極部、１３１は第６のスリット、１３２は第６のスリット１３１で形成される第６のヘリカル状電極部である。
【００３５】
実施の形態１と同様に、各ヘリカル状電極部の特性は、各スリットのスリット幅、ピッチ、ターン数により変化する。第１のスリット１２１は、第２の周波数帯ｆ２で第１のヘリカル状電極部１２２の電気長が１／４となる所定のスリット幅、ピッチ、ターン数を有する。第４のスリット１２７は、第３の周波数帯ｆ３で第４のヘリカル状電極部１２８の電気長が１／４となる所定のスリット幅、ピッチ、ターン数を有する。第２のスリット１２３は、第２のヘリカル状電極部１２４が第１の周波数帯ｆ１の信号を通過し、第２の周波数帯ｆ２の信号を阻止する所定のスリット幅、ピッチ、ターン数を有する。第５のスリ
ット１２９は、第５のヘリカル状電極部１３０が第１の周波数帯ｆ１の信号を通過し、第２の周波数帯ｆ３の信号を阻止する所定のスリット幅、ピッチ、ターン数を有する。第３のスリット１２５および、第６のスリット１３１は、第１の周波数帯ｆ１でアンテナ電極１０３ａ，１０３ｂの総電気長が１／２波長となる所定のスリット幅、ピッチ、ターン数を有する。尚、第２の周波数ｆ２と第３の周波数ｆ３は、十分近い周波数とする。
【００３６】
つぎに、以上の構成によるマルチバンドアンテナの動作を以下に説明する。
【００３７】
第１の周波数帯ｆ１においては、左右アンテナ電極１０３ａ、１０３ｂの総電気長が１／２波長であるため、平衡給電された１／２波長ダイポールアンテナ相当の動作をし、誘電体チップ１０１の軸方向の窪んだ８の字状の指向特性を有する。
【００３８】
第２の周波数帯ｆ２においては、第２のヘリカル状電極部１２４により信号が遮断され、第２および第３の周波数帯ｆ２、ｆ３が十分近いため第５のヘリカル状電極部１３０でも信号が遮断されるため、１／４波長の電気長の第１のヘリカル状電極部１２２と、約１／４波長の第４のヘリカル状電極部１２８が中心に動作することで、非対称に平衡給電された１／２波長ダイポールアンテナ相当の動作をし、誘電体チップ１０１の軸方向の窪んだ８の字状の良好な指向特性を有する。
【００３９】
第３の周波数帯ｆ３においては、第５のヘリカル状電極部１３０により信号が遮断され、第２および第３の周波数帯ｆ２、ｆ３が十分近いため第２のヘリカル状電極部１２４でも信号が遮断されるため、約１／４波長の電気長の第１のヘリカル状電極部１２２と、１／４波長の第４のヘリカル状電極部１２８が中心に動作することで、非対称に平衡給電された１／２波長ダイポールアンテナ相当の動作をし、誘電体チップ１０１の軸方向の窪んだ８の字状の指向特性パターンを有する。
【００４０】
なお、第２のヘリカル状電極部１２４および、第５ののヘリカル状電極部１３０の特性上、第２の周波数ｆ２、第３の周波数ｆ３は、第１の周波数ｆ１の約２倍に近い周波数であることが望ましい。
【００４１】
更に、第１のヘリカル状電極部１２２および、第４のヘリカル状電極部１２８、１２２の特性上、第２の周波数ｆ２は第３の周波数ｆ３の１０％以内であることが望ましい。
【００４２】
（実施の形態３）
図３は、本発明の実施の形態３におけるデュアルバンドアンテナの斜視図である。
【００４３】
図３において、１４０は周波数バンドｆ１、ｆ２（ｆ１＜ｆ２）に対応したデュアルバンドアンテナ全体を示す。１４１ａ、１４１ｂは位置によりピッチの異なるらせん状のスリット、１４２ａ、１４２ｂはスリット１４１ａ、１４１ｂで形成される第１のヘリカル状電極部、１４３ａ、１４３ｂはスリット１４１ａ、１４１ｂで形成される第２のヘリカル状電極部である。第１のヘリカル状電極部１４２ａ、１４２ｂは第２の周波数ｆ２で１／２波長の電気長を有し、第２のヘリカル状電極部１４３ａ、１４３ｂは第１の周波数ｆ１で総電気長が１／２となる所定の電極幅、ピッチ、ターン数を有する。
【００４４】
実施の形態１と同様に、第１の周波数ｆ１ではアンテナ電極１０３ａ、１０３ｂの総電気長が１／２波長であるため平衡給電半波長ダイポール相当の動作をし、第２の周波数ｆ２では第１のヘリカル状電極部１４２ａ、１４２ｂが中心に動作し平衡給電半波長ダイポール相当の動作することで、第１および第２の周波数バンドｆ１、ｆ２において、平衡給電半波長ダイポール相当の良好なアンテナ特性が得られる。
【００４５】
なお、デュアルバンドの例を示したが、実施の形態２と同様に、左右のヘリカル状電極部の電気長を変えることで、３つの周波数帯に対応してもよい。
【００４６】
（実施の形態４）
図４（ａ）、（ｂ）は、本発明の実施の形態４におけるデュアルバンドアンテナの斜視図である。図４（ａ）、（ｂ）において、２００は周波数帯ｆ１、ｆ２（ｆ１＜ｆ２）に対応したデュアルバンドアンテナ全体を示す。２０１ａ、２０１ｂはスリット、２０２ａ、２０２ｂはスリット２０１ａ、２０１ｂで形成されるヘリカル状電極部、２０３ａ、２０３ｂはヘリカル状電極部２０２ａ、２０２ｂ上に形成された分離スリット、２０４ａ、２０４ｂは分離スリット２０３ａ、２０３ｂでヘリカル状電極部２０２ａ、２０２ｂから分離された寄生ヘリカル状電極である。寄生ヘリカル状電極２０４ａ、２０４ｂは、第１の周波数ｆ１を通過し、第２の周波数ｆ２を阻止する特性となる所定の電極幅、ターン数を有し、ヘリカル状電極部２０２ａ、２０２ｂの、入出力ポート１０４と寄生ヘリカル状電極２０４ａ、２０４ｂとの間の電気長が周波数帯ｆ２で１／４波長となる位置にある。スリット２０１ａ、２０１ｂは、アンテナ電極１０３ａ、１０３ｂの総電気長が１／２波長となる所定のスリット幅、ピッチ、ターン数を有する。
【００４７】
実施の形態１と同様に、第１の周波数帯ｆ１ではアンテナ電極１０３ａ、１０３ｂの総電気長が１／２波長となり、第２の周波数帯ｆ２においてはヘリカル状電極部２０２ａ、２０２ｂの寄生ヘリカル状電極２０４ａ、２０４ｂと入出力ポート１０４の間の部分が１／４波長となり、第１および第２の周波数帯ｆ１、ｆ２で平衡給電半波長ダイポール相当の良好なアンテナ特性が得られる。
【００４８】
なお、分離スリット２０３ａ、２０３ｂは例えばレーザ加工により形成可能であり、寄生ヘリカル状電極２０４ａ、２０４ｂとヘリカル状電極部２０２ａ、２０２ｂの距離を精度よく形成可能であり、安定した特性を有するアンテナの実現が可能となる。
【産業上の利用可能性】
【００４９】
本発明にかかわるマルチバンドアンテナは、複数の周波数バンドに対応し、小型で低姿勢なアンテナ素子構成で、各周波数バンドで安定したアンテナ特性が得られるアンテナを、量産性に適した構成で実現でき、複数の周波数バンドを用いたマルチバンド無線機のアンテナとして有用である。
【図面の簡単な説明】
【００５０】
【図１】本発明の実施の形態１におけるデュアルバンドアンテナの斜視図
【図２】本発明の実施の形態２におけるトリプルバンドアンテナの斜視図
【図３】本発明の実施の形態３におけるデュアルバンドアンテナの斜視図
【図４】（ａ）本発明の実施の形態４におけるデュアルバンドアンテナの斜視図（ｂ）（ａ）の一部拡大斜視図
【図５】（ａ）従来のマルチバンドアンテナの一例を示す側面図（ｂ）同アンテナの平面図
【符号の説明】
【００５１】
１００  デュアルバンドアンテナ
１０１  誘電体チップ
１０２  入出力ギャップ
１０３ａ、１０３ｂ  アンテナ電極
１０４  入出力ポート
１０５ａ、１０５ｂ  第１のスリット
１０６ａ、１０６ｂ  第１のヘリカル状電極部
１０７ａ、１０７ｂ  第２のスリット
１０８ａ、１０８ｂ  第２のヘリカル状電極部
１０９ａ、１０９ｂ  第３のスリット
１１０ａ、１１０ｂ  第３のヘリカル状電極部
１１１  入出力線路
１１２  グランドパッド
１２０  トリプルバンドアンテナ
１２１  第１の右スリット
１２２  第１の右ヘリカル状電極部
１２３  第２の右スリット
１２４  第２の右ヘリカル状電極部
１２５  第３の右スリット
１２６  第３の右ヘリカル状電極部
１２７  第１の左スリット
１２８  第１の左ヘリカル状電極部
１２９  第２の左スリット
１３０  第２の左ヘリカル状電極部
１３１  第３の左スリット
１３２  第３の左ヘリカル状電極部
１４０  デュアルバンドアンテナ
１４１ａ、１４１ｂ  スリット
１４２ａ、１４２ｂ  第１のヘリカル状電極部
１４３ａ、１４３ｂ  第２のヘリカル状電極部
２００  デュアルバンドアンテナ
２０１ａ、２０１ｂ  スリット
２０２ａ、２０２ｂ  ヘリカル状電極部
２０３ａ、２０３ｂ  分離スリット
２０４ａ、２０４ｂ  寄生ヘリカル状電極
【図１】
2005229500.tif 000003
【図２】
2005229500.tif 000004
【図３】
2005229500.tif 000005
【図４】
2005229500.tif 000006
【図５】
2005229500.tif 000007